(57)【要約】【課題】作業記録を記録・保存することができ、またその記録・保存した作業記録を表示することができる電力系統保護制御装置を得る。【解決手段】電力系統保護制御装置１００は、制御保護対象と接続され保護制御信号を入出力する保護制御信号入出力部１０と、制御保護対象との間の入出力データを記録する第一不揮発性記録装置（第一記録部）１１と、電力系統保護制御装置の作業記録を記録する第二不揮発性記録装置（第二記録部）１２と、予め定められた作業種別を含む作業記録を入力する操作入力部（インターフェイス部）１３と、入力された作業記録に時刻を付加して第二不揮発性記録装置１２に保存する保存部１４と、第二不揮発性記録装置１２に保存された作業記録を画面に表示する表示部１５とを備えている。【選択図】        図１
2009124802.tif 000002
【特許請求の範囲】
【請求項１】
制御保護対象と接続され保護制御信号を入出力する保護制御信号入出力部と、
前記制御保護対象との間の入出力データを記録する第一記録部と、
電力系統保護制御装置の作業記録を記録する第二記録部と、
予め定められた作業種別を含む作業記録を入力するインターフェイス部と、
入力された作業記録に時刻を付加して前記第二記録部に保存する保存部と、
前記第二記録部に保存された作業記録を画面に表示する表示部と
を備えていることを特徴とする電力系統保護制御装置。
【請求項２】
前記作業記録は、前記作業種別に加えて任意の文字列を含む
ことを特徴とする請求項１に記載の電力系統保護制御装置。
【請求項３】
前記インターフェイス部は、使用者の操作により前記作業記録を入力する操作入力部である
ことを特徴とする請求項１または２に記載の電力系統保護制御装置。
【請求項４】
前記操作入力部は、使用者に、表示された複数の作業種別から一つの作業種別を選択させて入力する
ことを特徴とする請求項１から３のいずれか１項に記載の電力系統保護制御装置。
【請求項５】
前記インターフェイス部は、外部機器が接続され当該外部機器との間で前記作業記録を入出力する通信部である
ことを特徴とする請求項１または２に記載の電力系統保護制御装置。
【請求項６】
前記外部機器は、可搬形パソコンである
ことを特徴とする請求項５に記載の電力系統保護制御装置。
【請求項７】
前記通信部は、ファイル形式とされた前記作業記録を前記外部機器に対して読み込む及び書き込む動作をする
ことを特徴とする請求項５または６に記載の電力系統保護制御装置。
【請求項８】
前記通信部は、前記外部機器の画面に前記作業記録を表示する
ことを特徴とする請求項５から７のいずれか１項に記載の電力系統保護制御装置。
【請求項９】
前記第一記録部は、第一不揮発性記録装置に設けられ、前記第二記録部は、第二不揮発性記録装置に設けられている
ことを特徴とする請求項１から８のいずれか１項に記載の電力系統保護制御装置。
【請求項１０】
前記第一記録部は、第一不揮発性記録装置に設けられ、前記第二記録部は、第一不揮発性記録装置の残る領域に設けられている
ことを特徴とする請求項１から８のいずれか１項に記載の電力系統保護制御装置。
【請求項１１】
前記インターフェイス部は、予め定められたパスワードを入力させることにより、作業記録を入力する使用者及び外部機器を制限する
ことを特徴とする請求項１から１０のいずれか１項に記載の電力系統保護制御装置。
【発明の詳細な説明】
【技術分野】
【０００１】
電力系統及び設備機器などの制御保護対象と接続され、制御保護対象の保護、制御、監視、計測などを行う保護制御装置に関するものである。
【背景技術】
【０００２】
保護制御装置は、電力系統と設備機器の保護、制御、監視、計測などの機能を備え、電力系統と設備機器の状態や結果を表示したり、ネットワークへ通知したり、データを不揮発性記録装置へ保存したりする。不揮発性記録装置としては、装置の仕様により、ＥＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）やフラッシュメモリ、ハードディスク、メモリディスクなど様々なデバイスが用いられるが、当該装置の機能の実現に必要な設定や整定、装置の動作や異常の記録、系統状態を解析するための波形データや電気量のトレンドデータなど、装置自体が生成・保存する場合と装置外部からの操作により変更される場合に大別される。装置外部からの操作により変更されるのは、整定や設定の変更や装置の動作や異常の記録消去であり、装置の運用・保守に関わる重要なデータであり、操作・変更可能な項目や範囲、手順、正当性チェック方法が定められている。また、これらのデータは装置のヒューマンインターフェイスにて表示される（例えば、非特許文献１及び２参照）。
【０００３】
【非特許文献１】保護リレーシステム工学  電気学会（２００３年初版）５．４項
【非特許文献２】電気共同研究第５０巻  第二世代ディジタルリレー（平成６年発行）  Ｐ１３２−Ｐ１４１
【発明の開示】
【発明が解決しようとする課題】
【０００４】
従来の不揮発記録装置に保存されている記録データは、系統状態や系統事故の調査・解析、当該保護制御装置の異常要因の調査・復旧に用いることを主たる目的としており、目的の調査や解析、異常復旧の後は、消去される場合がある。その結果として実施された内容は、対応の運用保守部門に記録されるが、当該保護制御装置に保持する手段はない。
【０００５】
一般に電力系統の保護制御装置は、通常２０年以上の間運用される。このような長期間において、装置を運用保守し、万一の異常発生時の復旧を早めるためには、当該保護制御装置に対して実施された定期点検の時期や結果、交換した部品の内容や時期などの保守作業の記録を容易に得られることが望ましい。
【０００６】
従来の保護制御装置には、そのような作業記録（作業履歴）が装置に保存されてないため、例えばノートなどに記載した作業の記録から必要な情報を抽出しなければならないという課題があった。
【０００７】
この発明は、上述の課題を解決するためになされたもので、従来の装置に記録・保持されなかった作業記録を記録・保存することができ、またその記録・保存した作業記録を表示することができる電力系統保護制御装置を得ることを目的とする。
【課題を解決するための手段】
【０００８】
上述した課題を解決し、目的を達成するために、本発明の電力系統保護制御装置は、制御保護対象と接続され保護制御信号を入出力する保護制御信号入出力部と、制御保護対象との間の入出力データを記録する第一記録部と、電力系統保護制御装置の作業記録を記録する第二記録部と、予め定められた作業種別を含む作業記録を入力するインターフェイス部と、入力された作業記録に時刻を付加して第二記録部に保存する保存部と、第二記録部に保存された作業記録を画面に表示する表示部とを備えていることを特徴とする。
【発明の効果】
【０００９】
この発明によれば、個々の電力系統保護制御装置が、それぞれ作業記録を時刻を付加して記録することにより作業履歴として保存することができ、また記録した作業記録を表示することもでき、当該装置の過去の作業の時期や内容を速やかに且つ正確に得ることができるので作業性が向上するという効果を奏する。
【発明を実施するための最良の形態】
【００１０】
以下に、本発明にかかる電力系統保護制御装置の実施の形態を図面に基づいて詳細に説明する。なお、この実施の形態によりこの発明が限定されるものではない。
【００１１】
実施の形態１．
図１はこの発明に係る電力系統保護制御装置の実施の形態１の機能的な構成を示す機能ブロック図である。図２は電力系統保護制御装置の外観を示す斜視図である。図１において、電力系統保護制御装置１００は、保護制御信号入出力部１０と、第一記録部を構成する第一不揮発性記録装置１１と、第二記録部を構成する第二不揮発性記録装置１２と、インターフェイス部を構成する操作入力部１３と、保存部１４と、表示部１５とを有している。図２において、電力系統保護制御装置１００の外殻を構成する筐体１００ａには、表示部１５の一部として構成され各種データが表示される液晶表示器１５ａが設けられている。筐体１００ａにはまた操作入力部１３の一部として構成され、使用者の操作により各種データが入力されるキー１３ａが設けられている。
【００１２】
保護制御信号入出力部１０は、電力系統及び設備機器などの制御保護対象と接続され、当該制御保護対象に対して保護、制御、監視、計測などをする目的で、例えばアナログの保護制御信号を入出力する。保護制御信号入出力部１０を介して制御保護対象との間で入出力された例えば整定や設定、記録データは、第一不揮発性記録装置１１に記録される。一方、第二不揮発性記録装置１２には、電力系統保護制御装置１００に対して行われた作業記録が記録される。使用者が操作入力部１３から入力した作業記録は、保存部１４により入力された時刻が付加されて、第二不揮発性記録装置１２に記録される。第二不揮発性記録装置１２に記録された作業記録は、必要に応じて表示部１５（液晶表示器１５ａ）に表示される。
【００１３】
尚、本実施の形態においては、液晶表示器１５ａとキー１３ａは、筐体１００ａに設けられているが筐体１００ａから延びるケーブルによって接続されたものであってもよい。また、本実施の形態においては、第一不揮発性記録装置１１と第二不揮発性記録装置１２とが各々異なる記録装置とされているが、記録装置が両者のデータを記録するのに際して、十分な容量を備えており、各種データの保存と読み出しが、当該装置の保護制御機能と性能に問題とならないならば、同一の記録装置とされてもよい。すなわち、第二記録部は、第一記録部を構成された第一不揮発性記録装置１１の残る領域に設けられてもよい。
【００１４】
図３は液晶表示器１５ａに表示される画面の一例を示す図である。図３においては、画面表示Ｓ３１にて示されるメインメニュー画面から「サギョウリレキ」を選択すると、画面表示Ｓ３２の「サギョウリレキ」画面に移行し、さらにこの「サギョウリレキ」画面から、画面表示Ｓ３３の「シュベツセンタク」画面にて作業種別を選択して入力する手順が示されている。操作入力部１３は、このように作業種別をリスト状に複数表示する表示部１５の機能と協同して、使用者に、表示された複数の作業種別から一つの作業種別を選択させて入力させる。尚、図３に示す画面は、一例であり、表示器の種類や大きさ、操作部の機能や種類により入力や表示のスタイルや文字、手順は、任意でよい。
【００１５】
以上のように、本実施の形態の保護制御装置においては、電力系統保護制御装置の作業記録を記録する第二不揮発性記録装置（第二記録部）１２と、予め定められた作業種別を含む作業記録を入力する操作入力部（インターフェイス部）１３と、入力された作業記録に時刻を付加して第二不揮発性記録装置１２に保存する保存部１４と、第二不揮発性記録装置１２に保存された作業記録を画面に表示する表示部１５とを有している。そのため、個々の電力系統保護制御装置が、それぞれ作業記録を記録することができ、また記録した作業記録を表示することができ、当該装置の過去の作業の時期や内容を速やかに且つ正確に得ることができるので作業性が向上する。
【００１６】
なお、操作入力部１３の一部として構成され、使用者の操作により各種データが入力されるキー１３ａは、タッチパネル、キーボード及びマウスなどに替えられてもよい。また、液晶表示器１５ａはフラットディスプレイなどに替えられてもよい。
【００１７】
実施の形態２．
図４はこの発明に係る電力系統保護制御装置の実施の形態２の表示される画面の一例を示す図である。図４において、画面表示Ｓ４１にて示される「シュベツセンタク」画面から、画面表示Ｓ４２の「ツイカセッテイ」画面が選択されて任意の文字列や数字が入力可能となる手順が示されている。
【００１８】
すなわち、上述の実施の形態１では、操作入力部１３から予め定められた作業種別から任意のものを選択して入力可能としたが、本実施の形態では、それに加えて任意の文字列や数字の入力も可能としたものである。このような構成の電力系統保護制御装置によれば、作業内容に対する詳細な情報や作業に関連した文書番号などのより詳しい情報を記録することができるという効果がある。このようにすることで、過去の作業の詳細を得られるほか、例えば次回作業への伝達事項を記録できるという効果もある。
【００１９】
実施の形態３．
図５はこの発明に係る電力系統保護制御装置の実施の形態３の機能的な構成を示す機能ブロック図である。図６及び図７は図５の電力系統保護制御装置に接続される可搬形パソコンの画面の一例を示す図である。図５において、本実施の形態の電力系統保護制御装置１１０は、実施の形態１の電力系統保護制御装置１００に加えて、インターフェイス部を構成する通信部１６が設けられている。
【００２０】
通信部１６は、例えば可搬形パソコンである外部機器が接続され、この外部機器（可搬形パソコン１５０）との間で作業記録を入出力する。また、ファイル形式とされた作業記録を可搬形パソコン１５０に対して読み込む及び書き込む動作をする。
【００２１】
図６に示す可搬形パソコン１５０の画面においては、作業種別がリスト状に文字列にて表示された文字列リスト領域Ｓ６１ａと、作業種別とその概略が整列したアイコンによって表示されたアイコンリスト領域Ｓ６１ｂが表示された様子が示されている。操作入力部１３は、このように作業種別をリスト状に複数表示する表示部１５の機能と協同して、使用者に、表示された複数の作業種別から一つの作業種別を選択させて入力させる。図７は作業種別として「作業履歴」が選択されて、その表示・確認用の画面が詳細画面Ｓ７１ｂに表示された様子が示されている。
【００２２】
上述の実施の形態１においては、インターフェイス部を構成する操作入力部１３がもうけられて、作業記録の入力を可能としたが、本実施の形態においては、他のインターフェイス部として通信部１６が設けられて、可搬形パソコン１５０との間で、第二不揮発性記録装置１２に記録された作業記録をファイル形式にて相互に読み書き可能としている。
【００２３】
このような構成の電力系統保護制御装置１１０においては、作業記録をファイル形式にて相互に読み書き可能とすることにより、作業記録を外部機器に取り出せるという効果がある。尚、共にインターフェイス部を構成する操作入力部１３と通信部１６とは、必ず両方設ける必要はなく、どちらか一方のみを有するものであってもよい。
【００２４】
実施の形態４．
図８はこの発明に係る電力系統保護制御装置の実施の形態４の外部ネットワークとの接続の様子を示す機能ブロック図である。例えば変電所に設置された本実施の形態の電力系統保護制御装置１２０には、通信部に直接接続されたローカルパソコン１５０とＷＡＮ（Ｗｉｄｅ  Ａｒｅａ  Ｎｅｔｗｏｒｋ）８７を介して接続されたリモートパソコン１６０が接続されている。ローカルパソコン１５０は、実施の形態３にて電力系統保護制御装置１１０に接続された可搬形パソコン１５０と同様な構成を成すものである。リモートパソコン１６０は、例えば変電所から遠く離れた保守拠点（運用拠点）に設置され、ハブ８１、ＷＡＮ８７、及び伝送装置８３、８３を介して電力系統保護制御装置１２０と接続されている。リモートパソコン１６０には、例えば図７と同様な画面が表示されるが、入力・編集はできない（図７の右下の「履歴入力」のボタンが表示されない）。リモートパソコン１６０は、第二不揮発性記録装置１２に記録された作業記録の読み出し及び表示のみが可能とされている。
【００２５】
このように、本実施の形態の電力系統保護制御装置１２０においては、ネットワークを介して接続されたリモートパソコン１６０に対して作業記録の読み出し及び表示を可能として、遠く離れた保守拠点（運用拠点）において作業記録（作業履歴）の確認をできるようにすると共に、不特定多数の者が作業記録を編集することがないように、ネットワークを介した場合には、読み出し及び表示のみが可能として、記録した作業記録の破壊・消去に対する危険防止を図っている。
【００２６】
また、同様の目的で、予め定められたパスワードを入力させることにより、作業記録を入力する使用者及び外部機器を制限してもよい。例えば、可搬形パソコンにおいては、パソコンのログインユーザにより実行可能なレベルを区別する方法や、当該操作をする際パスワードを入力させて装置が保持しているパスワードと一致した場合のみ操作可能とする方法がある。また、操作入力部１３において、操作開始時に作業者の識別情報を入力させその識別情報が装置が保持している操作レベル種別に該当する場合のみ操作可能とする方式や、当該操作をする際パスワードを入力させて装置が保持しているパスワードと一致した場合のみ操作可能とする方法などがある。
【産業上の利用可能性】
【００２７】
この発明は、電力系統と設備機器の保護、制御、監視、計測などの機能を備え、電力系統と設備機器の状態や結果を表示したり、ネットワークへ通知したり、データを不揮発性記録装置へ保存したりする電力系統保護制御装置に適用されて好適なものである。
【図面の簡単な説明】
【００２８】
【図１】この発明に係る電力系統保護制御装置の実施の形態１の機能的な構成を示す機能ブロック図である。
【図２】電力系統保護制御装置の外観を示す斜視図である。
【図３】液晶表示器に表示される画面の一例を示す図である。
【図４】この発明に係る電力系統保護制御装置の実施の形態２の表示される画面の一例を示す図である。
【図５】この発明に係る電力系統保護制御装置の実施の形態３の機能的な構成を示す機能ブロック図である。
【図６】図５の電力系統保護制御装置に接続される可搬形パソコンの画面の一例を示す図である。
【図７】図５の電力系統保護制御装置に接続される可搬形パソコンの画面の他の例を示す図である。
【図８】この発明に係る電力系統保護制御装置の実施の形態４の外部ネットワークとの接続の様子を示す機能ブロック図である。
【符号の説明】
【００２９】
１０  保護制御信号入出力部
１１  第一不揮発性記録装置（第一記録部）
１２  第二不揮発性記録装置（第二記録部）
１３  操作入力部（インターフェイス部）
１３ａ  キー
１４  保存部
１５  表示部
１５ａ  液晶表示器
１６  通信部
８１  ハブ
８３  伝送装置
１００，１１０，１２０  電力系統保護制御装置
１００ａ  筐体
１５０  可搬形パソコン（ローカルパソコン）
１６０  リモートパソコン
【図１】
2009124802.tif 000003
【図２】
2009124802.tif 000004
【図３】
2009124802.tif 000005
【図４】
2009124802.tif 000006
【図５】
2009124802.tif 000007
【図６】
2009124802.tif 000008
【図７】
2009124802.tif 000009
【図８】
2009124802.tif 000010